(57)【特許請求の範囲】
【請求項１】
第１主動限界位置と第２主動限界位置との間の主動範囲内で移動可能な主動可動体（４３）と、第１従動限界位置と第２従動限界位置との間の従動範囲内で移動可能な従動可動体（４４）と、前記主動可動体（４３）を前記主動範囲内で往復駆動する駆動手段（４５）とを備え、前記従動可動体（４４）は、前記主動範囲の一部の連動区間における前記主動可動体（４３）の動作に従動するように構成された遊技機において、前記主動範囲内の所定位置から前記第２主動限界位置までが前記連動区間、前記所定位置から前記第１主動限界位置までが非連動区間となっており、前記従動可動体（４４）は前記第１従動限界位置側に向けて付勢されており、前記主動可動体（４３）が前記連動区間を前記第２主動限界位置側に駆動される際に前記従動可動体（４４）が前記付勢力に抗して連れ動かされ、前記主動可動体（４３）が前記連動区間を前記所定位置側に駆動される際には前記従動可動体（４４）は前記付勢力により前記主動可動体（４３）と共に移動し、前記主動可動体（４３）が前記非連動区間内を駆動される際には前記従動可動体（４４）は前記付勢力により前記第１従動限界位置に保持され、前記主動可動体（４３）が前記非連動区間内を駆動されて前記第１主動限界位置にきたとき、前記主動可動体（４３）が前記第１従動限界位置にある前記従動可動体（４４）に略当接して前記従動可動体（４４）の前記第２従動限界位置側への移動を規制するように構成されていることを特徴とする遊技機。
【請求項２】
前記従動可動体（４４）はその自重により略下向きに付勢されており、前記主動可動体（４３）が前記所定位置から前記第２主動限界位置まで上昇する際に、前記主動可動体（４３）側の所定部が前記従動可動体（４４）側に下側から係合して前記従動可動体（４４）を連れ動かし、前記主動可動体（４３）が前記連動区間を降下する際には前記従動可動体（４４）は自重より前記主動可動体（４３）と共に降下し、前記主動可動体（４３）が前記非連動区間内を駆動される際には前記従動可動体（４４）はその自重により前記第１従動限界位置に保持されるように構成されていることを特徴とする請求項１に記載の遊技機。
【請求項３】
前記主動可動体（４３）と前記従動可動体（４４）とは同一横軸（４２）廻りに揺動自在に支持されており、前記主動可動体（４３）には前記横軸（４２）に対してその前後の重量を略釣り合わせるための錘（７０ａ）を装着したことを特徴とする請求項２に記載の遊技機。
【発明の詳細な説明】
【技術分野】
【０００１】
本発明は、駆動手段により駆動される主動可動体とその主動可動体の動作に従動する従動可動体とを備えたパチンコ機、スロットマシン等の遊技機に関するものである。
【背景技術】
【０００２】
パチンコ機等の遊技機では、近年、大型の液晶表示手段を搭載したものが主流となっており、各社とも、その液晶表示手段に表示する演出画像等により他社製品との差別化を図ってきたが、液晶表示手段に表示するバーチャルな演出画像による差別化のみではもはや他社製品との差別化を十分に図ることが難しくなってきている。そこで、画像による演出に機械的な動作を組み合わせてより演出効果を高めようと、例えば液晶表示手段の近傍に可動体を設けたものが開発されているが、例えば特許文献１に記載された発明では、１つの駆動手段により主動可動体（駆動扉）を動作させると共に、別の従動可動体（従動扉）を、その主動可動体の一部の動作に従動させることで、一つの駆動手段の駆動により二つの可動体に夫々異なる動作をさせることを可能としている。
【特許文献１】特開２００７−０６１４８７号公報
【発明の開示】
【発明が解決しようとする課題】
【０００３】
ところで、二つの可動体のうち、一方の主動可動体が他方の従動可動体の一部分を構成するような関係にある場合、即ち例えば従動可動体が「顔」を、主動可動体がその構成部分である「瞳」を表しているような場合には、従動可動体（顔）は停止させたままで主動可動体（瞳）のみを往復移動させる動作パターンと、主動可動体と従動可動体とを同時に往復移動させる動作パターンとが考えられる。このような二種類の動作パターンは、各可動体毎に駆動手段を設ければ容易に実現が可能であるが、一つの駆動手段で二つの可動体を共に動作させようとする場合には実現が困難であった。
【０００４】
例えば特許文献１に記載された発明では、主動可動体（駆動扉）がその可動範囲を往復する際にその往路の一部区間と復路の一部区間とで従動可動体（従動扉）が連れ動かされるようになっているが、従動可動体が主動可動体に従動する際の両者の相対位置関係が往路側と復路側とで異なるため、上記のような二種類の動作パターンを一つの駆動手段の駆動制御により実現することはできない。
【０００５】
本発明は、上記事情に鑑みてなされたものであり、その目的とするところは、二つの可動体のうちの一方のみを往復動作させる動作パターンと、両方の可動体を同時に往復動作させる動作パターンとを、一つの駆動手段の駆動制御のみで切り換えることが可能な遊技機を提供することにある。
【課題を解決するための手段】
【０００６】
本発明は、第１主動限界位置と第２主動限界位置との間の主動範囲内で移動可能な主動可動体４３と、第１従動限界位置と第２従動限界位置との間の従動範囲内で移動可能な従動可動体４４と、前記主動可動体４３を前記主動範囲内で往復駆動する駆動手段４５とを備え、前記従動可動体４４は、前記主動範囲の一部の連動区間における前記主動可動体４３の動作に従動するように構成された遊技機において、前記主動範囲内の所定位置から前記第２主動限界位置までが前記連動区間、前記所定位置から前記第１主動限界位置までが非連動区間となっており、前記従動可動体４４は前記第１従動限界位置側に向けて付勢されており、前記主動可動体４３が前記連動区間を前記第２主動限界位置側に駆動される際に前記従動可動体４４が前記付勢力に抗して連れ動かされ、前記主動可動体４３が前記連動区間を前記所定位置側に駆動される際には前記従動可動体４４は前記付勢力により前記主動可動体４３と共に移動し、前記主動可動体４３が前記非連動区間内を駆動される際には前記従動可動体４４は前記付勢力により前記第１従動限界位置に保持され、前記主動可動体４３が前記非連動区間内を駆動されて前記第１主動限界位置にきたとき、前記主動可動体４３が前記第１従動限界位置にある前記従動可動体４４に略当接して前記従動可動体４４の前記第２従動限界位置側への移動を規制するように構成されているものである。
【発明の効果】
【０００７】
本発明によれば、二つの可動体４３，４４のうちの一方の主動可動体４３のみを往復動作させる動作パターンと、二つの可動体４３，４４を同時に往復動作させる動作パターンとを、一つの駆動手段４５の駆動制御のみで切り換えることが可能となる。
【発明を実施するための最良の形態】
【０００８】
以下、本発明の実施形態を図面に基づいて詳述する。図１〜図１１は本発明をパチンコ機に採用した一実施形態を例示している。図１において、遊技機本体１は、矩形状の外枠２と、この外枠２の左右一側、例えば左側のヒンジ３を介して縦軸心廻りに開閉及び着脱自在に枢着された内枠４とを備えている。
【０００９】
内枠４には、その上部側に図２に示す遊技盤５等が、下部側に発射手段（図示省略）等が夫々配置されており、その内枠４の前側には、遊技盤５の前側を覆うガラス扉６と、そのガラス扉６の下側で発射手段等の前側を覆う下部開閉扉７とがヒンジ３と同じ側のヒンジ８により開閉及び着脱自在に枢着されている。ガラス扉６には、遊技盤５側の遊技領域５ａに対応するガラス窓９が設けられ、また下部開閉扉７には、発射手段に供給するための遊技球を貯留する貯留皿１０、発射手段を作動させるための発射ハンドル１１等が設けられている。
【００１０】
遊技盤５の前側には、発射手段により発射された遊技球を案内するガイドレール１２が略環状に装着されると共に、そのガイドレール１２内の遊技領域５ａには、その略中央にセンターケース１３が配置され、更にそのセンターケース１３の左側に通過ゲート１４が、下側に開閉式入賞手段１５及び大入賞手段１６が配置される他、普通入賞手段１７等の各種遊技部品が装着されている。
【００１１】
センターケース１３は、遊技盤５に形成された装着孔に対して前側から着脱自在に装着される前構造体２１（図２）と、後側に液晶表示ユニット等の画像表示手段２２が装着され且つ前構造体２１に対応して遊技盤５の裏側に着脱自在に装着される後構造体２３（図３，図４）と、一又は複数、例えば二つの可動演出手段２４，２５とを備えている。
【００１２】
後構造体２３は、図３，図４に示すように、前側が開放した略箱形に形成され且つその背壁２６に画像表示手段２２（図２）の表示画面に対応する矩形状の開口部２７が形成された本体ケース２８と、この本体ケース２８の前縁側から遊技盤５の背面に沿う鍔状に設けられた固定壁２９とを一体に備え、本体ケース２８の背壁２６の後側に画像表示手段２２を装着した状態で、固定壁２９を遊技盤５の背面側に固定することにより遊技盤５に着脱自在に装着されている。なお、可動演出手段２４，２５は共に本体ケース２８内に収容され、例えば上部可動演出手段２４は開口部２７の上側に、側部可動演出手段２５は開口部２７の側方に夫々配置されている。
【００１３】
前構造体２１は、図２に示すように、その略中央に後構造体２３側の開口部２７に対応する表示窓３１を備えた枠状に形成されており、表示窓３１の側方には側部可動演出手段２５を前側から視認可能とするための演出窓３２が、表示窓３１の上側には上部可動演出手段２４を前側から略覆う上装飾部３３が、表示窓３１の下側にはワープ入球口３４に入球した遊技球を左右方向に自由に転動させた後に前側に落下させるステージ３５が、夫々設けられている。
【００１４】
以下、側部可動演出手段２５の構成について、図５〜図１１を参照しつつ詳述する。側部可動演出手段２５は、図５〜図１０に示すように、駆動ベース体４１と、この駆動ベース体４１に装着された左右方向の水平軸（横軸）４２によりその軸廻りに揺動自在に支持された主動可動体４３と、同じく水平軸４２によりその軸廻りに揺動自在に支持された従動可動体４４と、主動可動体４３を駆動する回転駆動手段（駆動手段）４５と、この回転駆動手段４５を駆動ベース体４１に装着する駆動ホルダ４６と、主動可動体４３が所定位置にあることを検出する位置検出スイッチ４７と、駆動ベース体４１を後構造体２３側に固定するための台座４８とを備えている。
【００１５】
駆動ベース体４１は、下部ベース部５１とその上側の上部ベース部５２とを一体に備えている。下部ベース部５１は、略鉛直な下部前面板５１ａと、この下部前面板５１ａの外縁部から後ろ向きに突設される左右一対の下部側壁部５１ｂ，５１ｂ及び下側の下壁部５１ｃとを備えている。下部前面板５１ａには、その左右方向中央部に前後に貫通する縦長状の可動体装着孔５３が形成されると共に、その可動体装着孔５３の左右の前面側が一対の基板装着部５４，５４となっている。
【００１６】
可動体装着孔５３は、下部側壁部５１ｂに略平行な左右一対の縦枠板５３ａ，５３ａと略水平な上下一対の横枠板５３ｂ，５３ｂとよりなる縦長矩形状の枠体で取り囲まれている。また、基板装着部５４には、ＬＥＤ基板５５側の位置決め孔５５ａに対応する位置決め突起５４ａ、ＬＥＤ基板５５側のねじ挿通孔５５ｂに対応するねじ止め基部５４ｂ、及びＬＥＤ基板５５側の縁部に係合可能な固定爪５４ｃが設けられており、ＬＥＤ５６を前側に向けた状態でＬＥＤ基板５５がねじ止め固定されている。
【００１７】
また、下部ベース部５１には、下部側壁部５１ｂ，５１ｂ及び縦枠板５３ａ，５３ａを貫通する貫通孔５８が左右方向に水平に設けられており、この貫通孔５８内に水平軸４２が挿通されている。
【００１８】
上部ベース部５２は、上端側が下端側よりも僅かに後退した傾斜状の上部前面板５２ａと、この上部前面板５２ａの外縁部から後ろ向きに突設される上部側壁部５２ｂ及び上壁部５２ｃとを備えている。
【００１９】
また、駆動ベース体４１の前面側には、可動体装着孔５３の上側に従動上限規制部５９が、可動体装着孔５３の下側に従動下限規制部６０が夫々設けられている。従動上限規制部５９及び従動下限規制部６０は、例えば前向き突出状に設けられた上下方向の板状突起５９ａ，６０ａが夫々左右方向に所定間隔で複数枚配置されて構成されている。
【００２０】
また、駆動ベース体４１の背面側には、台座４８に固定するための複数の固定脚部６１と、駆動ホルダ４６を固定するための複数の固定基部６２とが夫々後ろ向き突出状に設けられている。
【００２１】
主動可動体４３は、図６，図７等に示すように、主動パネル６３と、水平軸４２により回転自在に支持されるギヤプレート６４と、このギヤプレート６４に固定され且つ主動パネル６３を支持する主動支持ベース６５とを備えており、所定の主動下限位置（第１主動限界位置）と主動上限位置（第２主動限界位置）との間の主動範囲内で水平軸４２廻りに揺動自在となっている。
【００２２】
主動パネル６３は、例えば光透過性を有する不透明な合成樹脂製で、前向き膨出状の緩やかな曲面に形成された横長状の装飾板６３ａと、その装飾板６３ａの外周に沿って後ろ向き突出状に設けられる周壁６３ｂとを一体に備えており、ＬＥＤ基板５５の前側を覆うように配置され、左右方向中央の被固定部６３ｃにおいて後側の主動支持ベース６５に着脱自在に固定されている。装飾板６３ａの前面側には、図８に示すように、例えば被固定部６３ｃの左右両側に人間の「瞳」を表す装飾（以下、「瞳」マーク６６という）が施されている。
【００２３】
ギヤプレート６４は、駆動ベース体４１側の可動体装着孔５３内に配置され、水平軸４２を挿通可能な支持筒部６７が中心部に、回転駆動手段４５側の駆動ギヤ６８が噛合する被駆動ギヤ６９が外縁部に夫々一体に設けられており、回転駆動手段４５の駆動により水平軸４２廻りに揺動可能となっている。
【００２４】
主動支持ベース６５は、ギヤプレート６４の一面側に着脱自在にねじ止めされるベース板６５ａと、このベース板６５ａの前縁側の固定部６５ｂとを一体に備え、この固定部６５ｂに対して前側から主動パネル６３が着脱自在にねじ止めされている。固定部６５ｂは、例えばギヤプレート６４の前縁側を覆うようにベース板６５ａの前縁側からギヤプレート６４側に延設されている。
【００２５】
また、ギヤプレート６４と主動支持ベース６５との間には、それらギヤプレート６４と主動支持ベース６５とに跨って設けられる錘ホルダ７０内に錘７０ａが収容されている。この錘７０ａは、水平軸４２に対してその前後の重量を略釣り合わせるためのもので、錘ホルダ７０は、例えば支持筒部６７に対して主動パネル６３とは反対側、即ち後側に一又は複数、例えば上下に二つ設けられている。
【００２６】
更に、例えば主動支持ベース６５には、その後部側に位置検出スイッチ４７に対応する被検出部４７ａが突設されている。
【００２７】
回転駆動手段４５は、例えばステッピングモータにより構成されており、図６に示すように、その駆動軸４５ａを水平軸４２と平行に向けた状態で、駆動ホルダ４６を介して駆動ベース体４１の後側に装着されている。
【００２８】
駆動ホルダ４６は、駆動ベース体４１の背面側に主動可動体４３を後側から覆うように着脱自在に装着されており、水平軸４２に略垂直に配置された左右の側壁７１ａ，７１ｂと、それら側壁７１ａ，７１ｂ間を左右に接続する後壁７２と、駆動ベース体４１側の固定基部６２に対応して前端側の複数箇所、例えば上下両端部及び右端部に配置される固定壁７３とを一体に備え、固定壁７３が駆動ベース体４１側の固定基部６２に対して後側からねじ止めされている。
【００２９】
左側壁７１ａには、その上部側に挿通孔７４が形成されており、回転駆動手段４５はその挿通孔７４を介して駆動軸４５ａを駆動ホルダ４６内に突出させた状態で左側壁７１ａの外面側に着脱自在に固定されている。なお、駆動軸４５ａの先端側には駆動ギヤ６８が固定されており、この駆動ギヤ６８が駆動ホルダ４６内で主動可動体４３側の被駆動ギヤ６９に噛合している。
【００３０】
駆動ホルダ４６の後壁７２は、その上部側が駆動ギヤ６８を後側から覆うギヤカバー７２ａ、下部側が主動可動体４３を後側から覆う可動体カバー７２ｂとなっている。後壁７２の背面側には、後側の台座４８にねじ止め固定するための固定基部７２ｃが後ろ向き突出状に設けられている。
【００３１】
また、可動体カバー７２ｂの背面側には、例えば透過形フォトセンサにより構成される位置検出スイッチ４７が、基板７５を介して着脱自在に装着されている。この位置検出スイッチ４７は、可動体カバー７２ｂに形成された開口７６を介して駆動ホルダ４６内に突出し、図１０に示すように主動可動体４３が主動範囲内の所定位置、例えば主動下限位置に来たときにその後部側の被検出部４７ａを検出するように構成されており、図示しない駆動制御手段が、この位置検出スイッチ４７からの検出信号に基づいて回転駆動手段４５を駆動制御するようになっている。
【００３２】
駆動ベース体４１及び駆動ホルダ４６は、図５等に示すように台座４８を介して後構造体２３の前側に着脱自在に固定されている。台座４８は、略矩形状の背板７７と、この背板７７から駆動ベース体４１側の固定脚部６１に対応して前向きに突設される複数、例えば四つの脚支持部７８と、例えばこれら脚支持部７８間を縦横に接続するように背板７７の前側に突設される囲いリブ７９と、背板７７から後ろ向きに突設され且つ後構造体２３側にねじ止め固定される複数の固定基部８０とを一体に備えており、駆動ベース体４１及び駆動ホルダ４６を、正面よりも若干画像表示手段２２側、即ち左側に傾けた状態で後構造体２３の前側に支持している。
【００３３】
従動可動体４４は、水平軸４２により回転自在に支持される従動支持ベース８１と、この従動支持ベース８１の前側に着脱自在に装着される従動パネル８２とを備えており、所定の従動下限位置と従動上限位置との間の従動範囲内で水平軸４２廻りに揺動自在となっている。
【００３４】
従動支持ベース８１は、例えば正面視略矩形状の枠体で、その内側の嵌合孔８３に主動可動体４３側の主動パネル６３が後側から遊嵌しており、その左右両端部後側に着脱自在に固定される一対の軸受部材８４，８４を介して水平軸４２の両端側に回転自在に支持されている。
【００３５】
従動支持ベース８１の背面側には、駆動ベース体４１側の従動上限規制部５９に対応する従動上限当接部８５が嵌合孔８３の上側に沿って設けられ、駆動ベース体４１側の従動下限規制部６０に対応する従動下限当接部８６が嵌合孔８３の下側に沿って設けられている。従動上限当接部８５及び従動下限当接部８６は、例えば図１０に示すように従動支持ベース８１の背面側から前向き凹入状に形成されており、図１１（ｃ）に示すように従動可動体４４が従動上限位置にきたときに従動上限当接部８５の前壁８５ａが従動上限規制部５９に前側から当接し、図１１（ａ）に示すように従動可動体４４が従動下限位置にきたときに従動下限当接部８６の前壁８６ａが従動下限規制部６０に前側から当接するようになっている。
【００３６】
また、従動支持ベース８１の前側には、主動可動体４３側の例えば主動パネル６３の上面側に対応する主動上限規制部８７が嵌合孔８３の上側に沿って設けられ、主動パネル６３の下面側に対応する主動下限規制部８８が嵌合孔８３の下側に沿って設けられている。主動上限規制部８７及び主動下限規制部８８は、例えば嵌合孔８３の内側に向けて突出する前後方向の板状突起８７ａ，８８ａが夫々左右方向に所定間隔で複数枚、例えば二枚配置されて構成されており、図１１（ｂ）に示すように例えば従動可動体４４が従動下限位置にある状態で主動可動体４３が主動上限位置にきたときに主動パネル６３の上端側が主動上限規制部８７の下端側に下側から当接し、図１１（ａ）に示すように主動可動体４３が主動下限位置にきたときに主動パネル６３の周壁６３ｂの下面側が主動下限規制部８８の上端側に上側から当接するようになっている。
【００３７】
なお、従動支持ベース８１には、従動パネル８２側のねじ止め基部８９に対応するねじ止め固定部９０が複数設けられている。
【００３８】
従動パネル８２は、不透明な合成樹脂製で、例えば人間の「顔」を象った立体形状に形成されており、従動支持ベース８１及びその後側の駆動ベース体４１を前側から覆うように従動支持ベース８１の前側に装着され、その背面側から後ろ向きに突設されたねじ止め基部８９が従動支持ベース８１側のねじ止め固定部９０にねじ止め固定されている。
【００３９】
また、従動パネル８２には、その「顔」形状における「目」に対応する位置に左右一対の透視窓９１，９１が例えば開口状に形成されており、主動可動体４３と従動可動体４４とが所定の相対位置関係となって主動パネル６３側の「瞳」マーク６６が従動パネル８２側の透視窓９１に一致したとき（図１１（ａ），（ｂ））、前側から見て人間が目を開いた状態が表現され、「瞳」マーク６６が透視窓９１の下側に外れたとき（図８，図１１  （ａ））、人間が目を閉じた状態が表現されるように構成されている。
【００４０】
以上のような従動可動体４４は、従動支持ベース８１側の従動下限当接部８６が駆動ベース体４１側の従動下限規制部６０に前側から当接する従動下限位置（図１１（ａ））と、従動支持ベース８１側の従動上限当接部８５が駆動ベース体４１側の従動上限規制部５９に前側から当接する従動上限位置（図１１（ｃ））との間の従動範囲内で水平軸４２廻りに揺動自在であると同時に、その重心が水平軸４２よりも前側にあるため、自重により下向きに付勢されて通常時には従動下限位置（図１１（ａ））に保持されている。
【００４１】
また、主動可動体４３は、従動可動体４４が従動下限位置にあるときにその主動下限規制部８８に上側から当接した状態が主動下限位置（図１１（ａ））、その状態から上昇して従動可動体４４側の主動上限規制部８７に下側から当接した状態が中間位置（所定位置）（図１１（ｂ））、その中間位置から従動可動体４４と共に更に上昇し、従動可動体４４が従動上限位置に達した状態が主動上限位置（図１１（ｃ））となっており、その主動下限位置から主動上限位置までの主動範囲のうち、主動下限位置から中間位置までの範囲が従動可動体４４側と連動しない非連動区間、中間位置から主動上限位置までの範囲が従動可動体４４側と連動する連動区間となっている。
【００４２】
そして、その非連動区間内では、主動可動体４３が主動下限位置にあるときには「瞳」マーク６６が透視窓９１の下側に隠れて目を閉じた状態（図１１（ａ））となり、主動可動体４３が中間位置にあるときには「瞳」マーク６６が透視窓９１と一致して目を開いた状態（図１１（ｂ））となるように構成されている。即ち、主動可動体４３が非連動区間内で上下に揺動する動作が、目を開閉する動作に対応している。
【００４３】
また、連動区間内では、「瞳」マーク６６が透視窓９１と一致したままで従動可動体４４が上向きに揺動するため（図１１（ｂ），（ｃ））、主動可動体４３が連動区間内で上下に揺動する動作が、目を開いたままで顔を上下に振る動作に対応している。
【００４４】
以上のような構成の側部可動演出手段２５の駆動制御について簡単に説明する。通常時には、主動可動体４３は回転駆動手段４５の駆動により主動下限位置又はその近傍で保持されている（図１１（ａ））。即ち、従動可動体４４は自重により下向きに付勢され、その下部側の従動下限当接部８６が駆動ベース体４１側の従動下限規制部６０に前側から当接した従動下限位置で保持されており、更に主動可動体４３は従動可動体４４側の主動下限規制部８８に上側から当接する主動下限位置又はその近傍で保持されている。またこのとき、位置検出スイッチ４７が主動可動体４３側の被検出部４７ａを検出した状態となっている。
【００４５】
主制御手段から側部可動演出手段２５の駆動制御手段に対して主動可動体４３の動作指令が出力されると、駆動制御手段は、所定の動作パターンに従って回転駆動手段４５の駆動制御を開始し、回転駆動手段４５はまず主動可動体４３を上昇させる方向に作動する。これにより、主動可動体４３の主動パネル６３は水平軸４２廻りに上昇するが、主動可動体４３が中間位置に達するまでの非連動区間内は、従動可動体４４側は自重により従動下限位置にそのまま保持される。そして、主動可動体４３が中間位置に到達したとき、主動パネル６３の「瞳」マーク６６が従動可動体４４側の透視窓９１と一致して、前側から見て人間が目を開いた状態が表現される（図１１（ａ）→（ｂ））。
【００４６】
また、主動可動体４３が中間位置に到達したとき、主動可動体４３の主動パネル６３の上端側が従動可動体４４側の主動上限規制部８７に下側から当接する。従って、主動可動体４３が中間位置から更に上側の連動区間内を上昇する際には、その主動可動体４３と共に従動可動体４４側の従動パネル８２が上昇し、前側から見て人間が目を開いた状態で顔を上げる動作が表現される（図１１（ｂ）→（ｃ））。
【００４７】
そして、従動可動体４４側が、その従動上限当接部８５が駆動ベース体４１側の従動上限規制部５９に前側から当接する従動上限位置又はその近傍に到達すると、主動可動体４３の上昇駆動はその位置、即ち主動上限位置又はその近傍で停止される（図１１（ｃ））。
【００４８】
続いて、主動可動体４３が図１１（ｃ）に示す状態から降下方向に駆動されると、その主動可動体４３が中間位置に到達するまでの連動区間内では、従動可動体４４はその自重によって主動可動体４３と共に降下し、前側から見て人間が目を開いた状態で顔を下げる動作が表現される（図１１（ｃ）→（ｂ））。そして、主動可動体４３が中間位置を過ぎると、従動可動体４４は従動下限位置に到達してその動作が停止するため、主動可動体４３のみが降下し、前側から見て人間がうつむいたままで目を閉じる動作が表現される（図１１（ｂ）→（ｃ））。そして、位置検出スイッチ４７が主動可動体４３側の被検出部４７ａを検出したとき、又はその直後、即ち主動可動体４３が主動下限位置又はその近傍に到達したときに回転駆動手段４５による駆動が停止される。
【００４９】
以上説明したように、本発明のパチンコ機に搭載された側部可動演出手段２５は、主動範囲内の所定の中間位置から従動上限位置までが連動区間、その中間位置から従動下限位置までが非連動区間となっており、従動可動体４４は従動下限位置側に向けて付勢されており、主動可動体４３が連動区間を主動上限位置側、即ち上向きに駆動される際に従動可動体４４がその自重に抗して上向きに連れ動かされ、主動可動体４３が連動区間を中間位置側、即ち下向きに駆動される際には従動可動体４４はその自重により主動可動体４３と共に下向きに移動し、主動可動体４３が非連動区間内を駆動される際には従動可動体４４はその自重により従動下限位置に保持されるように構成されているため、二つの可動体４３，４４のうちの一方のみを往復動作させる動作パターンと、それら二つの可動体４３，４４を同時に往復動作させる動作パターンとを、一つの回転駆動手段４５の駆動制御のみで切り換えることが可能である。
【００５０】
主動可動体４３と従動可動体４４とは同一の水平軸４２廻りに揺動自在に支持されており、主動可動体４３には水平軸４２に対してその前後の重量を略釣り合わせるための錘７０ａが装着されているため、回転駆動手段４５による駆動負荷を平滑化でき、可動体４３，４４をよりスムーズに駆動することができる。
【００５１】
また、主動可動体４３が主動下限位置にあるとき、自重により従動下限位置に保持されている従動可動体４４に略当接して従動可動体４４の従動上限位置側への移動を規制するように構成されているため、主動可動体４３が主動下限位置で停止しているとき、従動可動体４４に振動等が加わっても従動可動体４４が不用意に動作することを防止できる。
【００５２】
以上、本発明の実施形態について詳述したが、本発明はこれらの実施形態に限定されるものではなく、本発明の趣旨を逸脱しない範囲で種々の変更が可能である。例えば、実施形態では主動可動体４３と従動可動体４４とを一つの水平軸４２廻りに揺動自在としたが、主動可動体４３と従動可動体４４とを異なる軸廻りに揺動自在としてもよい。
【００５３】
主動可動体４３と従動可動体４４とは、回転方向に限らず所定方向に往復移動可能で、且つ従動可動体４４が一方向に付勢されていればよく、例えば主動可動体４３と従動可動体４４とを共に水平方向に往復移動可能に支持して従動可動体４４をその移動方向の一方側にバネ等により弾性付勢してもよい。
【００５４】
なお、実施形態ではパチンコ機について例示したが、アレンジボール機、雀球遊技機等の他の弾球遊技機はもちろん、スロットマシン等の弾球遊技機以外の各種遊技機でも同様に実施可能であることはいうまでもない。
【図面の簡単な説明】
【００５５】
【図１】本発明の一実施形態を示すパチンコ機の全体斜視図である。
【図２】遊技盤の正面図である。
【図３】センターケースを構成する後構造体の正面図である。
【図４】センターケースを構成する後構造体の分解斜視図である。
【図５】側部可動演出手段の斜視図である。
【図６】側部可動演出手段の分解斜視図である。
【図７】側部可動演出手段の駆動ベース体及び主動可動体の分解斜視図である。
【図８】側部可動演出手段の正面図である。
【図９】図８におけるＡ−Ａ断面図である。
【図１０】図９におけるＢ−Ｂ断面図である。
【図１１】側部可動演出手段の動作説明図である。
【符号の説明】
【００５６】
４２    水平軸（横軸）
４３    主動可動体
４４    従動可動体
４５    回転駆動手段（駆動手段）
７０ａ  錘
【図１】
0004750145.tif 000002
【図２】
0004750145.tif 000003
【図３】
0004750145.tif 000004
【図４】
0004750145.tif 000005
【図５】
0004750145.tif 000006
【図６】
0004750145.tif 000007
【図７】
0004750145.tif 000008
【図８】
0004750145.tif 000009
【図９】
0004750145.tif 000010
【図１０】
0004750145.tif 000011
【図１１】
0004750145.tif 000012